(57)【要約】【課題】本発明は、液晶装置の視野角の値を設定可能なユーザインターフェースを有する情報処理装置及びその視野角調整方法を提供することを目的とする。【解決手段】本発明の視野角が存在する表示装置を有する情報処理装置（１１）は、表示装置の初期視野角を設定する設定手段（３０６）と、表示装置の可動状態を検知する検知手段（１１２）と、検知手段の検知結果に応じて、表示装置の視野角を初期視野角から調整する視野角決定手段（３０５）とを具備することを特徴とする。【選択図】　図４
2004133335.tif 000002
【特許請求の範囲】
【請求項１】
視野角が存在する表示装置を有する情報処理装置に於いて、前記表示装置の初期視野角を設定する設定手段と、前記表示装置の可動状態を検知する検知手段と、前記検知手段の検知結果に応じて、前記表示装置の視野角を前記初期視野角から調整する視野角決定手段と、を具備することを特徴とする情報処理装置。
【請求項２】
前記設定手段は、前記表示装置と情報処理装置本体の成す角度が所定の値の時、前記表示装置の初期視野角を設定可能とすることを特徴とする請求項１記載の情報処理装置。
【請求項３】
前記設定手段は、前記表示装置と情報処理装置本体の成す角度を示す値と、前記表示装置の初期視野角の値を設定可能とすることを特徴とする請求項１記載の情報処理装置。
【請求項４】
前記検知手段は、前記表示装置と情報処理装置本体の成す角度を検知することを特徴とする請求項１記載の情報処理装置。
【請求項５】
前記視野角決定手段は、前記検知手段により、検知された前記表示装置と情報処理装置本体の成す角度に応じて、前記初期視野角の値を変更することを特徴とする請求項１記載の情報処理装置。
【請求項６】
視野角が存在する表示装置を有する情報処理装置の視野角調整方法に於いて、前記表示装置の初期視野角を設定する視野角設定ステップと、前記表示装置の可動状態を検知する検知ステップと、前記検知ステップの検知結果に応じて、前記表示装置の視野角を前記初期視野角から調整する視野角決定ステップと、を具備することを特徴とする情報処理装置の視野角調整方法。
【請求項７】
前記設定ステップは、前記表示装置と情報処理装置本体の成す角度が所定の値になるようにユーザに対し指示表示するステップと、前記表示装置と情報処理装置本体の成す角度が所定の値になった時、前記表示装置の初期視野角を設定するステップとを具備することを特徴とする請求項６記載の情報処理装置の視野角調整方法。
【請求項８】
前記設定ステップは、前記表示装置と情報処理装置本体の成す角度を示す値と、前記表示装置の初期視野角の値を設定することを特徴とする請求項６記載の情報処理装置の視野角調整方法。
【請求項９】
前記視野角決定ステップは、前記検知ステップにより、検知された前記表示装置と情報処理装置本体の成す角度に応じて、前記初期視野角の値を変更することを特徴とする請求項６記載の情報処理装置の視野角調整方法。
【発明の詳細な説明】
【０００１】
【発明の属する技術分野】
本発明は、液晶ディスプレイを表示装置として用いた情報処理装置に係わり、特に、表示装置の視野角を表示装置の傾きに応じて変えることが出来る情報処理装置及びその視野角調整方法に関するものである。
【０００２】
【従来の技術】
近年、ノート型パーソナルコンピュータや携帯情報端末としてのパーソナルデジタルアシスタンス（以下、ＰＤＡと称す。）が最近注目を集めている。この様な携帯型情報処理装置の表示装置は、液晶ディスプレイ（以下、ＬＣＤと称す。）を採用しているものが多い。当該ＬＣＤには視野角という概念があり、正面水平方向からＬＣＤ画面を見た場合、最良の表示状態（内容）を得ることができる。しかしながら、ユーザの視線の位置を上下、又は、左右方向に移動させて視線がＬＣＤ画面と成す角が浅くなるにつれて視認性を悪くする。ＬＣＤがどの程度の視野角を持っているかはＬＣＤ毎に異なっている。
【０００３】
従来、この様なＬＣＤは、セキュリティやプライバシーと言う観点が欠落している。自宅や会社等の屋内の特定の場所で使用する設置型ＬＣＤならば、セキュリティやプライバシーは然程問題とならない。携帯型情報処理装置は、戸外に持ち出して使用されることが多いので、セキュリティやプライバシーを重視する必要がある。
【０００４】
例えば、電車内で携帯型情報処理装置を使用する場合、隣の席に座った見知らぬ乗客から画面の表示状態（内容）が覗き見られてしまう事が考えられる。即ち、上述のような携帯型情報処理装置に於いては、ＬＣＤの表示画面が正方向の観察者以外に他の観察者にも認識される。この為、画像に関する個人のプライバシーを保護する場合、ＬＣＤの視野角特性を狭くでき、正面方向の観察者にのみ認識できる構成が望まれている。つまり、多人数で見る場合や正面方向の観察者のみで認識する場合に応じて、視野特性を簡単に変更できることが望まれている。
【０００５】
近年、視野角を可変制御する表示装置も開発されつつある。当該表示装置は、透明電極層及び配向膜が形成された基板間に液晶層が設けられた視野角可変素子を偏光板と液晶表示装置の間に配置している。基板に対し液晶層の液晶分子が垂直配向する場合、真上方向以外の画像の認識が出来ない。この状態から透明電極層間に電圧を印加すると、液晶層の相状態が変化し等方向性になり、通常の広視野角特性が得ることができる。従って、視野角特性を制御することができる視野角可変素子により、視野角を変化することが出来、低コストで可能な視野角の可変を有する液晶表示装置を提供することが出来る（例えば、特許文献１参照）。
【０００６】
また、視野角を可変制御する表示装置を有する情報処理装置も開発されつつある。当該情報処理装置は、当該情報処理装置の表示装置の設定角度を立てた状態から寝かせた状態にあるいはその逆に変えて使用する場合、表示装置の状態を区別する手段により、視野角を設定する抵抗値が表示装置の設定角度に従って変化する。従って、任意の設定角度に応じて視野角が自動的に最適に設定される事になる。しかしながら、従来の情報処理装置は、視野角を初期設定するには、製造業者が、ＬＣＤを表示装置に組み込んだ時、視野角調整可変抵抗器を操作調整し、視野角の初期値を設定する必要がある。即ち、ユーザが任意に視野角の初期値を設定することができないので、任意の設定角度に応じて変化する視野角も限定的であった（例えば、特許文献２参照）。
【０００７】
【特許文献１】
特開平９−１０５９５８号公報（第４頁〜第５、第１図乃至第９図）
【０００８】
【特許文献２】
特開平６−３１４１３６号公報（第４頁、第６図）
【０００９】
【発明が解決しようとする課題】
上記した従来技術の視野角を可変制御する表示装置を有する情報処理装置では、表示装置の視野角の値を設定するユーザインターフェースが欠如していたので、セキュリティやプライバシーの配慮を損なっていたという問題があった。
【００１０】
そこで、本発明は上記の問題を解決するためになされたものであり、表示装置の視野角の値を設定可能なユーザインターフェースを有する情報処理装置及びその視野角調整方法を提供することを目的とする。
【００１１】
【課題を解決するための手段】
本発明の視野角が存在する表示装置を有する情報処理装置は、表示装置の初期視野角を設定する設定手段と、表示装置の可動状態を検知する検知手段と、検知手段の検知結果に応じて、表示装置の視野角を初期視野角から調整する視野角決定手段と、を具備することを特徴とする。
【００１２】
このような構成によれば、視野角の値を設定可能なユーザインターフェースを提供することが可能となる。
【００１３】
本発明の設定手段は、表示装置と情報処理装置本体の成す角度が所定の値の時、表示装置の初期視野角を設定可能とすることを特徴とする。
【００１４】
また、本発明の設定手段は、表示装置と情報処理装置本体の成す角度を示す値と、表示装置の初期視野角の値を設定可能とすることを特徴とする。
【００１５】
この様な構成にすることにより、ヒンジが特定の初期角度の時の視野角度設定値を初期値として保存することが出来る。
【００１６】
本発明の視野角決定手段は、検知手段により、検知された表示装置と情報処理装置本体の成す角度に応じて、初期視野角の値を変更することを特徴とする。
【００１７】
この様な構成にすることにより、初期視野角を初期値に従い、表示装置と情報処理装置本体の成す角度に応じて、視野角を算出することがきるので、ユーザの好みに合った視野角を保つことが出来る。
【００１８】
更に、本発明の視野角が存在する表示装置を有する情報処理装置の視野角調整方法に於いて、表示装置の初期視野角を設定する視野角設定ステップと、表示装置の可動状態を検知する検知ステップと、検知ステップの検知結果に応じて、表示装置の視野角を初期視野角から調整する視野角決定ステップと、を具備することを特徴とする。
【００１９】
このような構成によれば、視野角の値を設定可能なユーザインターフェースを提供することが可能となる。
【００２０】
本発明の設定ステップは、表示装置と情報処理装置本体の成す角度が所定の値になるようにユーザに対し指示表示するステップと、表示装置と情報処理装置本体の成す角度が所定の値になった時、前記表示装置の初期視野角を設定するステップとを具備することを特徴とする。
【００２１】
また、本発明の設定ステップは、表示装置と情報処理装置本体の成す角度を示す値と、表示装置の初期視野角の値を設定することを特徴とする。
【００２２】
この様な構成にすることにより、ヒンジが特定の初期角度の時の視野角度設定値を初期値として保存することが出来る。
【００２３】
本発明の視野角決定ステップは、検知ステップにより、検知された表示装置と情報処理装置本体の成す角度に応じて、初期視野角の値を変更することを特徴とする。
【００２４】
この様な構成にすることにより、初期視野角を初期値に従い、表示装置と情報処理装置本体の成す角度に応じて、視野角を算出することがきるので、ユーザの好みに合った視野角を保つことが出来る。
【００２５】
【発明の実施の形態】
以下、図面を参照して本発明の実施形態を説明する。まず、図１および図２を参照して、本発明の一実施形態に係る情報処理装置の構成について説明する。ここでは、ノート型のポータブルパーソナルコンピュータとして実現した場合を想定する。
【００２６】
図１は、Ｂ５サイズのノート型のポータブルコンピュータシステム１１を開示している。本コンピュータシステム１１は、機器本体１２と、液晶ディスプレユニット１３とを備えている。
【００２７】
機器本体１２の外郭を構成する筐体１４は、平坦な上壁１４ａを有する平坦な箱状をなしている。この筐体１４の上壁１４ａは、パームレスト１５とキーボード取り付け部１６とを備えている。パームレスト１５は、筐体の前半部においてこの筐体１４の幅方向に沿って延びている。キーボード取り付け部１６は、パームレスト１５の後方に位置されている。キーボード取り付け部１６は、筐体１４内に開口するような窪みにて構成され、このキーボード取り付け部１６にキーボード装置１７が設置されている。キーボード装置１７は、複数のキーユニット３とマウスの方向を指し示すポインティングスティック３０から構成されている。
【００２８】
上壁１４ａの後端部には、上向きに張り出す凸部１９が形成されている。凸部１９は、筐体１４の全幅に亙って延びており、この凸部１９の両端部に夫々ディスプレイ支持部２０ａ、２０ｂが形成されている。ディスプレイ支持部２０ａ、２０ｂは、凸部１９の前方、上方および後方に連続して開放するような窪みにて構成されている。
【００２９】
液晶ディスプレイユニット１３は、ディスプレイハウジング２２と、このディスプレイハウジング２２内に収容された液晶パネル２３とを備えている。液晶パネル２３は、画像を表示する表示画面２４を有し、この表示画面２４はディスプレイハウジング２２の前面の開口部２５を通じて外方に露出されている。
【００３０】
ディスプレイハウジング２２は、その一端部に一対の脚部２６ａ、２６ｂを有している。脚部２６ａ、２６ｂは、筐体１４のディスプレイ支持部２０ａ、２０ｂに導かれていると共に、図示しないヒンジ装置を介して筐体１４に支持されている。そのため、液晶ディスプレイユニット１３は、パームレスト１５やキーボード装置１７を上方から覆うように倒される閉じ位置と、パームレスト１５、キーボード装置１７および液晶パネル２３の表示画面２４を露出させるように起こされる開き位置とに亙って回動し得るようになっている。また、このヒンジ装置には、ディスプレイハウジング２２と筐体１４との間の角度を検知する角度検知手段１１２を有している。本発明の一実施形態に係わる角度検知手段１１２は、後程、詳しく説明する。
【００３１】
図２には、本コンピュータシステム１１の機能ブロック構成が示されている。本コンピュータシステム１１には、図示のように、ＣＰＵ２０１、ホストブリッジ２０２、主メモリ２０３、グラフィクスコントローラ２０４、ＰＣＩ−ＩＳＡブリッジ２０６、Ｉ／Ｏコントローラ２０７、ハードディスクドライブ（ＨＤＤ）２０８、ＣＤ−ＲＯＭドライブ２０９、ＵＳＢ（Ｕｎｉｖｅｒｓａｌ　Ｓｅｒｉａｌ　Ｂｕｓ）コントローラ２１０、エンベデッドコントローラ／キーボードコントローラＩＣ（ＥＣ／ＫＢＣ）２１１、および電源コントローラ２１３等が設けられている。
【００３２】
ＣＰＵ２０１は本コンピュータシステム１１の動作を制御するために設けられたプロセッサであり、ハードディスクドライブ（ＨＤＤ）２０８から主メモリ２０３にロードされたオペレーティングシステム（ＯＳ）、アプリケーションプログラム／ユーティリティプログラム及び各種制御プログラムを実行する。また、ＣＰＵ２０１は、ＢＩＯＳ−ＲＯＭ２１２に格納されたＢＩＯＳ（Ｂａｓｉｃ　Ｉｎｐｕｔ　Ｏｕｔｐｕｔ　Ｓｙｓｔｅｍ）も実行する。本発明の一実施形態に係わる視野角の設定インターフェースは、専用のユーティリティプログラムから構成される制御プログラム３０４を用いて行われる。
【００３３】
ホストブリッジ２０２は、ＣＰＵ２０１のローカルバスとＰＣＩバス１との間を双方向で接続するブリッジデバイスである。グラフィクスコントローラ２０４は、本コンピュータシステム１１のディスプレイモニタとして使用されるＬＣＤ１２１を制御する。Ｉ／Ｏコントローラ２０７は、ＰＣＩデバイスの１つであり、ここにはハードディスクドライブ（ＨＤＤ）２０８およびＣＤ−ＲＯＭドライブ２０９を制御するためのＩＤＥコントローラなどが内蔵されている。
【００３４】
ＰＣＩ−ＩＳＡブリッジ２０６は、ＰＣＩバス１とＩＳＡバス２を双方向で接続するブリッジデバイスであり、ここには、例えば、システムタイマ、ＤＭＡコントローラ、割り込みコントローラなどの各種システムデバイスも内蔵されている。更に、ＵＳＢコントローラ２１０もＰＣＩデバイスであり、図示しない外付けのテンキー専用のキーボード装置や各種Ｉ／Ｏ装置がＵＳＢポート介して接続可能である。
【００３５】
エンベデッドコントローラ／キーボードコントローラＩＣ（ＥＣ／ＫＢＣ）２１１は、電力管理のためのエンベデッドコントローラと、キーボード１１１を制御するためのキーボードコントローラが集積された１チップマイクロコンピュータである。このエンベデッドコントローラ／キーボードコントローラＩＣ（ＥＣ／ＫＢＣ）２１１は、更に、電源コントローラ２１３と共同して、ユーザによるパワーボタン１１４の操作に応じて本コンピュータシステム１１をパワーオン／パワーオフする機能を有している。本発明の一実施形態に係わり、ヒンジ装置内に組み込まれ、ディスプレイハウジング２２と筐体１４との間の角度を検知する角度検知手段１１２のインターフェースを制御する回路もＥＣ／ＫＢＣ２１１に具備している。
【００３６】
ＢＩＯＳ−ＲＯＭ２１２にはＢＩＯＳが格納されている。このＢＩＯＳは本システム内のハードウェアコンポーネントを制御するためのプログラムである。
【００３７】
次に、図３を参照して、本発明の一実施形態に係わる液晶表示装置の視野角を説明する。
【００３８】
図３は、垂直に立った液晶表示装置を真上から見た概略図である。一般に、ＬＣＤ画面に対して、視線の成す角度が垂直に近いほど、画面を鮮明に見ることが出来る（図３（Ａ））。成す角が垂直から離れるほど画面は見づらくなり、ある角度を越えると表示内容を視認できなくなる（図３（Ｂ））。ＬＣＤ画面の表示内容を視認できる限界の角度を「視野角」と呼ぶ（図３（Ｃ））。尚、図３では、左右方向の視野角について図示しているが、同様に上下方向についても視野角は存在する。
【００３９】
次に、図４〜図６を参照して、本発明の一実施形態に係わる視野角を自動調整する動作を説明する。
【００４０】
キーボード装置１７上の所定のキー３がユーザによって押下されると、そのキー３に対応するキーコードは、エンベデッドコントローラ／キーボードコントローラＩＣ（ＥＣ／ＫＢＣ）２１１、およびＢＩＯＳ３０１を介して、オペレーティングシステム（ＯＳ）３０２に送られる。オペレーティングシステム（ＯＳ）は、受け取ったキーコードを、現在アクティブなアプリケーションプログラム３０３に通知すると共に、制御プログラム３０４にもそのキーコードを通知する。更に、ＥＣ／ＫＢＣ２１１は、ＬＣＤ１２１のヒンジ装置に内蔵された角度検知手段１１２からの角度を示す信号を定期的に受信し、ＬＣＤユニット１３と機器本体１２との間を成す角度を示すデータ（以下、角度情報と称す。）をオペレーションシステム３０２を介して制御プログラム３０４に通知出力する。
【００４１】
オペレーティングシステム（ＯＳ）は、例えば、特定のキー３との組み合わせ、又は、特定のキー３が押下された場合、本願発明の一実施形態に係わる液晶表示装置の初期視野角の設定を行う制御プログラム３０４を起動するように働きかける。
【００４２】
制御プログラム３０４は、専用のユーティリティプログラムであり、図示のように、視野角決定手段３０５、初期値保持手段３０６、および初期値設定手段３０７から構成されている。
【００４３】
制御プログラム３０４の主メモリ２０３へのロード後、視野角決定手段３０５は、角度情報を定期的に取得する。視野角決定手段３０５は、更に、後述される初期値保持手段３０６が保持する初期値情報を入力として受け取り、現在の角度情報に基づき、ＬＣＤの最適な視野角を決定し、液晶表示装置に設定する。
【００４４】
初期値設定手段３０６は、ＬＣＤユニット１３と機器本体１２の成す角度が特定の値である場合、ユーザが任意の視野角を初期値として入力するユーザインターフェースである。
【００４５】
初期値保持手段３０７は、前記初期値設定手段３０６を介して入力された視野角の初期値情報を保持し、必要に応じて前記視野角決定手段３０５にその値を通知する。
【００４６】
図５を参照して、本願発明の一実施形態に係わる液晶表示装置の初期視野角を設定する動作を説明する。
【００４７】
ユーザは、所定のキー３を操作して、制御プログラム３０４の初期値設定手段３０６を起動する。初期値設定手段３０６は、ユーザに対して液晶表示装置の初期視野角を設定する為のインターフェース（ＧＵＩ）を液晶表示装置上に表示する。初期値設定手段３０６は、ユーザに対してＬＣＤユニット１３と機器本体１２を成す角度を特定の初期角度に設定するように指示する（Ｓ１００）。ここでの初期角度は、予め決められている固定値であり、例えば、液晶表示装置がＰＣ本体と垂直となる角度（９０度）である。又は、ヒンジ範囲の両端（０度／１８０度）の何れかである。或いは、初期角度を視認するための目盛りをヒンジ装置周辺に設置しても構わない。
【００４８】
初期値設定手段３０６は、ユーザがＬＣＤユニット１３と機器本体１２を成す角度を初期角度に設定したか否か判断する（Ｓ１１０）。もしＬＣＤユニット１３と機器本体１２を成す角度が初期角度に設定されていないと判断された場合、初期値設定手段３０６はユーザが正しい初期角度に設定する迄、ガイダンス表示を行う（Ｓ１１０のＮｏ→Ｓ１００）。
【００４９】
次に、初期値設定手段３０６は、ユーザに対して任意の初期値を入力するように指示表示する（Ｓ１１０のＹｅｓ→Ｓ１２０）。ユーザは、キーボード装置のキー３を介して、好みの初期視野角を設定する（Ｓ１３０）。例えば、入力する値として、数値や角度を指定する。或いは、物理的な調整ダイヤルを回転させて、好みの視野角を設定することもできる。ユーザは、ダイナミックに変化する視野角を確認しながら、好みの初期視野角になるまで調整入力する（Ｓ１４０のＮｏ→Ｓ１３０）。初期値設定手段３０６は、ユーザが設定完了した初期視野角を初期値保存手段３０７に保存する（Ｓ１４０のＹｅｓ→Ｓ１５０）。
【００５０】
次に、図６を参照して、同実施形態に係わる液晶表示装置の視野角を自動調整する動作を説明する。図６は、図５で初期値保存手段３０７に保存された初期視野角の値を基準にＬＣＤの視野角を自動調整する動作を示す。
【００５１】
制御プログラム３０４の視野角決定手段３０５は、定期的に、角度検知手段から角度情報を取得し、ＬＣＤユニット１３が機器本体１２に対して可動したか否かを判断する（Ｓ２００）。視野角決定手段３０５は、可動したと判断した場合、現在の角度を初期位置からの変位角ΔＤで算出する（Ｓ２００のＹｅｓ→Ｓ２１０）。ここでの初期位置角度は固定値であるので、現在の角度からその固定値を減算することにより、変位角ΔＤを容易に算出することが出来る。
【００５２】
視野角決定手段３０５は、初期値保持手段３０７から予め保存しておいた初期視野角Ｖ０を取得する（Ｓ２２０）。更に、視野角決定手段３０５は、現在の角度に適していると思われる新しい視野角Ｖを計算する（Ｓ２３０）。例えば、ここでの計算式は、Ｖ＝Ｖ０−ΔＤとなる。次に、視野角決定手段３０５は、液晶表示装置に対して新しい視野角Ｖを所定のレジスタ（図示せず）に設定する（Ｓ２４０）。
【００５３】
この様な構成にすることにより、ＬＣＤユニット１３と機器本体１２を成す角度を特定の初期角度とし、その際の視野角度設定値を初期値として保存する。本発明の一実施形態では、ＬＣＤユニット１３と機器本体１２を成す角度に応じて、当該初期値から視野角を算出することがきるので、ユーザの好みに合った視野角を常に保つことが出来る。
【００５４】
次に、図７を参照して、本発明の別の実施形態に係わる液晶表示装置の初期視野角を設定する動作を説明する。
【００５５】
本発明の第２の一実施形態では、ユーザは初期視野角を設定する際、ＬＣＤユニット１３を特定の初期位置に戻す必要がなく、任意の位置において初期視野角を設定できることを特徴とする。初期視野角を設定した際のヒンジの角度情報は、初期視野角の値と共に初期値保持手段３０７に保持され、視野角決定手段３０５による計算に使用される。
【００５６】
ユーザは、キーボード装置１７の所定のキー３を操作して、制御プログラム３０４の初期値設定手段３０６を起動する。初期値設定手段３０６は、ユーザに対して液晶表示装置の初期視野角を設定する為のインターフェース（ＧＵＩ）を液晶表示装置上に表示する。初期値設定手段３０６は、ユーザに対して初期視野角を設定するように指示する（Ｓ３００）。本発明の第２の実施形態では、予めＬＣＤユニット１３を初期位置に戻す必要がない。ユーザは、ＬＣＤユニット１３と機器本体１２を成す角度が任意の角度の位置にある状態で初期視野角を設定することができる。
【００５７】
ユーザは、キーボード装置のキー３を介して、好みの初期視野角を入力する（Ｓ３１０）。例えば、初期視野角の入力値として、数値や角度を指定しても良い。或いは、物理的な調整ダイヤルを回転させて、好みの視野角を設定することもできる。ユーザは、ダイナミックに変化する視野角を確認しながら、好みの初期視野角になるまで調整入力する（Ｓ３２０のＮｏ）。
【００５８】
初期値設定手段３０６は、ＬＣＤユニット１３の現在の角度の位置情報とユーザが調整入力した初期視野角の値を初期値保持手段３０７に保存する（Ｓ３２０のＹｅｓ→Ｓ３３０）。
【００５９】
本発明の第２の一実施形態に係わる液晶表示装置の視野角を自動調整する動作は、図６の動作と基本的に同じであり、異なる点を以下に説明する。
【００６０】
本発明の第２の一実施形態に於いては、初期角度からの変化量ΔＤを取得する計算が異なっている。本発明の第２の一実施形態では、ヒンジが任意の位置（Ｄ０’）にある際に初期視野角を設定したので、現在のＬＣＤユニット１３の角度をＤとすると、ΔＤ＝Ｄ−Ｄ０’となる。ここでのＤ０’は、予め初期値保持手段３０７に保持されている角度の位置情報である。
【００６１】
この様な構成にすることにより、ユーザが初期視野角を設定する際、ヒンジを特定の位置に戻す煩わしさを軽減することができる。
【００６２】
尚、本発明の実施形態では、液晶表示装置を有するノート型パーソナルコンピュータで説明したが、ＰＤＡでも同様に適用することができる。この場合、当該ＰＤＡに傾斜センサーを搭載し、当該傾斜センサーにより検出されたＰＤＡの傾斜角度に応じて、液晶表示装置の初期視野角を設定することになる。
【００６３】
【発明の効果】
以上説明したように、本発明によれば、表示装置の視野角の値を設定可能なユーザインターフェースを提供することができる。
【図面の簡単な説明】
【図１】本発明の一実施形態に係わる情報処理装置の斜視図。
【図２】同実施形態に係わる情報処理装置のシステム構成を示すブロック図。
【図３】同実施形態に係わる液晶表示装置の視野角を説明する概略図。
【図４】本発明の一実施形態に係わる視野角を自動調整する動作を説明する機能ブロック図。
【図５】同実施形態に係わる液晶表示装置の初期視野角を設定する動作を説明するフローチャート。
【図６】同実施形態に係わる液晶表示装置の視野角を自動調整する動作を説明するフローチャート。
【図７】本発明の別の実施形態に係わる液晶表示装置の初期視野角を設定する動作を説明するフローチャート。
【符号の説明】
２…キーボード本体、３…キー、７…ＬＥＤ、１１…コンピュータシステム、１２…コンピュータ本体、１３…液晶ディスプレイユニット、１４…筐体、１５…パームレスト、２２…ディスプレイハウジング、２３…液晶パネル、１７…キーボード装置、３０…ジョイステック、２０１…ＣＰＵ、２１１…ＫＢＣ／ＥＣ、２１２…ＢＩＯＳ−ＲＯＭ、３０１…ＢＩＯＳ、３０２…ＯＳ、３０３…アプリケーションプログラム、３０４…制御プログラム
【図１】
2004133335.tif 000003
【図２】
2004133335.tif 000004
【図３】
2004133335.tif 000005
【図４】
2004133335.tif 000006
【図５】
2004133335.tif 000007
【図６】
2004133335.tif 000008
【図７】
2004133335.tif 000009